(57)【要約】      （修正有）【課題】成分において一定量の乳化剤を含み、その成分は、プラスティシンの中の化学物質が肌、指の爪、毛髪に付着し、洗浄しにくいなどの問題を効果的に解決することができるだけではなく、更に耐久性に優れ、靱性が強いなどの特徴を有し、汚れたプラスティシンの表面を洗浄することが容易である、プラスティシンを提供する。【解決手段】洗浄容易なプラスティシンに関し、プラスティシンは以下の重量パーセントの成分により構成される：充填剤１５〜７５％、乳化剤１０〜６５％、油２〜４０％、他の部分は水であり、また前記プラスティシンは重量パーセントが０．２〜２．５％である添加物を含むことができる。【選択図】なし【特許請求の範囲】
【請求項１】
充填剤１５〜７５％、
乳化剤１０〜６５％、
油相２〜４０％、及び
水（バランス）の重量パーセントを有する成分を含む、洗浄容易なプラスティシンであって、
前記充填剤は、珪藻土、粘土、タルク粉、澱粉、及び炭酸カルシウムからなる群から選択される一つ又は二つ以上の組み合わせであり、
前記乳化剤は、脂肪酸メチルエステルスルホン酸ナトリウム、脂肪酸、脂肪酸塩、グリセロールステアリン酸、アルキルベンゼンスルホン酸、アルキルベンゼンスルホン酸ナトリウム、脂肪族アルコールポリオキシエチレンエーテル硫酸ナトリウム、脂肪酸ポリオキシエチレンエーテル硫酸アンモニウム、脂肪酸ポリオキシエチレンエーテル、ドデシル硫酸ナトリウム、ラウリン酸ジエタノールアミドからなる群から選ばれる一種又は二種以上の組み合わせであり、
前記油相はオリーブオイル、大豆油、ピーナッツオイル、コーンオイル、ホホバオイル、アーモンド油、グレープシードオイル、ローズヒップオイル、アプリコットカーネルオイル、ウィートジャームオイル、ナッツオイル、アボカドオイル、魚油、カカオバター、シェーバター、グリセリンからなる群から選ばれる一種又は二種以上の組み合わせである、洗浄容易なプラスティシン。
【請求項２】
前記プラスティシンは、重量パーセントが０．２〜２．５％の添加物をさらに含み、前記添加物は、色素、防腐剤、芳香剤からなる群から選ばれる一種又は二種以上の組み合わせである、請求項１に記載の洗浄容易なプラスティシン。
【請求項３】
前記プラスティシンは、充填剤３０〜５０％、乳化剤２０〜４５％、油相５〜３０％、添加物１〜２％、水（バランス）の重量パーセントの成分により構成される、請求項２に記載の洗浄容易なプラスティシン。
【請求項４】
前記色素は、β−カロテン、ベニバラ黄色素、ラック赤色色素、カカオ色素、茶のクロロフィル、ウグイスカグラ赤色色素のいずれか一つであり、前記防腐剤はプロポリス、キトサンまたは茶ポリフェノールのいずれか一つであり、芳香剤は桃エッセンス、オレンジエッセンス、ブラックベリーエッセンス、イチゴエッセンス、パイナップルエッセンス、リンゴエッセンス、ライチエッセンス、マンゴーエッセンス、レモンエッセンスのいずれか一つである、請求項２に記載の前記洗浄容易なプラスティシン。
【請求項５】
前記充填剤と前記乳化剤の合計重量パーセントは６０〜９０％である、請求項１又は３に記載の洗浄容易なプラスティシン。
【請求項６】
前記充填剤に一定量の硫酸ナトリウムまたは塩化ナトリウムが添加されており、前記硫酸ナトリウムまたは塩化ナトリウム対充填剤の重量配分比は１：１．５〜７．５である、請求項１または３に記載の前記洗浄容易なプラスティシン
【請求項７】
前記充填剤は澱粉とタルク粉を含み、前記澱粉とタルク粉との重量配分比は４．９〜５．１：１である請求項１または３に記載の前記洗浄容易なプラスティシン。
【請求項８】
前記充填剤は珪藻土と粘土とを含み、珪藻土対粘土の重量配分比は４．８〜５．１：１であり、前記乳化剤は脂肪酸メチルエステルスルホン酸ナトリウムとステアリン酸とを含み、前記脂肪酸メチルエステルスルホン酸ナトリウムとステアリン酸との重量配分比は８．７〜９．１：１である。請求項１又は３に記載の洗浄容易なプラスティシン。
【請求項９】
前記プラスティシンは、澱粉３９．１％、タルク粉７．８％、ドデシル硫酸ナトリウム３９．１％、オリーブオイル６．５％、β−カロテン０．５２％、キトサン０．２６％、アップルエッセンス０．２６％、水（バランス）である重量パーセントの成分により構成される請求項７に記載の前記洗浄容易なプラスティシン。
【請求項１０】
前記プラスティシンは、珪藻土２９．９％、粘土６．０％、脂肪酸メチルエステルスルホン酸ナトリウム２６．９％、ステアリン酸３．０％、大豆油２４．０％、茶のクロロフィル０．６％、プロポリス０．６％、水（バランス）である重量パーセントの成分により構成される、請求項８に記載の前記洗浄容易なプラスティシン。
【発明の詳細な説明】
【技術分野】
【０００１】
本発明はプラスティシンに関し、特に洗浄容易なプラスティシンに関する。
【背景技術】
【０００２】
プラスティシンは娯楽性の強いおもちゃであり、子供の想像力を開発し、子供の実践能力と創造力を育成することを補助するものである。現在、日常使用するプラスティシンは主に伝統的な油溶性プラスティシン、澱粉系プラスティシン及び軽量粘土プラスティシンを含む。その主な成分の中、高分子材料、蝋類、エステル系、澱粉、タルク粉などをベースペーストとして含む。それらの材料自身は無毒であるが、肌、指の爪、毛髪に非常に粘着しやすく、洗浄しにくく、長時間の接触は肌を容易に刺激しやすい。そのため、プラスティシンの洗浄性の向上は、プラスティシンの安全性を直接的に向上させ、そして、子供の健康を守ることを助けるものである。
【０００３】
また、現在、多くのプラスティシンの靱性は不良であり、手にくっつきやすく、手の感触が悪い。使用後数ヶ月後、大部のプラスティシンは、乾裂及び硬化の現象が起きる。それは全てプラスティシンの娯楽性に影響する。
【０００４】
アメリカ特許ＵＳ６４４４２８は、プラスティシンを造形する時におけるポリエチレンオキシド（Ｐｏｌｙｅｔｈｙｌｅｎｅ Ｏｘｉｄｅ，ＰＥＯ）を使用して、可塑性及び靱性の向上と、手に付着する程度を低減する解決方法を提供する。その解決方法によって製造されるプラスティシンは手に付着せず、型崩れしにくく、靱性に優れ、表面が平滑で、手触りが良く、汎用性が強いなどのいろいろな利点を有する。但し、前記ポリエチレンオキシドは入手しにくく、コストが高い化学材料である。
【０００５】
中国特許ＣＮ１０１７６８３１４Ａは、水溶性プラスティシンの組成物及びその製造方法を開示し、ポリビニルアルコール、酢酸ビニル樹脂、水、マルトース、マルチトール、及び粒径は５−１００μｍの中空の微粒子を含む。高分子材料のポリビニルアルコール（ＰＶＡ）の添加によってプラスティシンの靱性を向上させるが、その主な原理は分子量が大きい高分子材料は密にしやすいという原理を利用してプラスティシンの質感を向上させる。しかし、ＰＶＡは、目と肌に対して一定的な刺激があり、また指の爪、毛髪のようなところに付着するプラスティシンを洗浄することが難しいという欠点を依然として有している。
【発明の概要】
【発明が解決しようとする課題】
【０００６】
日用化学製品の科学技術の持続的発展に伴って、耐久性が弱いこと、及び洗浄の難しさというプラスティシンの欠点をどのように解決するかが、現在の重要な課題である。
【０００７】
［発明の開示］
従来の技術にある欠点を克服するため、本発明は耐久性に優れ、靱性が強く、洗浄容易なプラスティシンを提供する。
【課題を解決するための手段】
【０００８】
充填剤１５〜７５％、乳化剤１０〜６５％、油相２〜４０％、及び水（バランス）の重量パーセントを有する成分を含む、洗浄容易なプラスティシンであって、前記充填剤は、珪藻土、粘土、タルク粉、澱粉、及び炭酸カルシウムからなる群から選択される一つ又は二つ以上の組み合わせであり、前記乳化剤は、脂肪酸メチルエステルスルホン酸ナトリウム、脂肪酸、脂肪酸塩、グリセロールステアリン酸、アルキルベンゼンスルホン酸、アルキルベンゼンスルホン酸ナトリウム、脂肪族アルコールポリオキシエチレンエーテル硫酸ナトリウム、脂肪酸ポリオキシエチレンエーテル硫酸アンモニウム、脂肪酸ポリオキシエチレンエーテル、ドデシル硫酸ナトリウム、ラウリン酸ジエタノールアミドからなる群から選ばれる一種又は二種以上の組み合わせであり、前記油相はオリーブオイル、大豆油、ピーナッツオイル、コーンオイル、ホホバオイル、アーモンド油、グレープシードオイル、ローズヒップオイル、アプリコットカーネルオイル、ウィートジャームオイル、ナッツオイル、アボカドオイル、魚油、カカオバター、シェーバター、グリセリンからなる群から選ばれる一種又は二種以上の組み合わせである、洗浄容易なプラスティシン。
【０００９】
好ましくは、重量パーセントが０．２〜２．５％の添加物をさらに含み、前記添加物は、色素、防腐剤、芳香剤からなる群から選ばれる一種又は二種以上の組み合わせである。
【００１０】
好ましくは、前記プラスティシンは、充填剤３０〜５０％、乳化剤２０〜４５％、油相５〜３０％、添加物１〜２％、水（バランス）の重量パーセントの成分により構成される。
【００１１】
一般的には、水の添加量は１０％より小さく、それでプラスティシンが適度な湿度を保つことができ、プラスティシンの造形に便利である。
【００１２】
好ましくは、前記色素は、β−カロテン、ベニバラ黄色素、ラック赤色色素、カカオ色素、茶のクロロフィル、ウグイスカグラ赤色色素のいずれか一つであり、前記防腐剤はプロポリス、キトサンまたは茶ポリフェノールのいずれか一つであり、芳香剤は桃エッセンス、オレンジエッセンス、ブラックベリーエッセンス、イチゴエッセンス、パイナップルエッセンス、リンゴエッセンス、ライチエッセンス、マンゴーエッセンス、レモンエッセンスである。
【００１３】
好ましくは、前記充填剤と前記乳化剤の合計重量パーセントは６０〜９０％である。
【００１４】
好ましくは、前記充填剤に一定量の硫酸ナトリウムまたは塩化ナトリウムが添加されており、前記硫酸ナトリウムまたは塩化ナトリウム対充填剤の重量配分比は１：１．５〜７．５である。
【００１５】
好ましくは、前記充填剤は澱粉とタルク粉を含み、前記澱粉とタルク粉との重量配分比は４．９〜５．１：１である。
【００１６】
好ましくは、前記充填剤は珪藻土と粘土とを含み、珪藻土対粘土の重量配分比は４．８〜５．１：１であり、前記乳化剤は脂肪酸メチルエステルスルホン酸ナトリウムとステアリン酸とを含み、前記脂肪酸メチルエステルスルホン酸ナトリウムとステアリン酸との重量配分比は８．７〜９．１：１である。
【００１７】
好ましくは、前記プラスティシンは、澱粉３９．１％、タルク粉７．８％、ドデシル硫酸ナトリウム３９．１％、オリーブオイル６．５％、β−カロテン０．５２％、キトサン０．２６％、アップルエッセンス０．２６％、水（バランス）である重量パーセントの成分により構成される。
【００１８】
好ましくは、前記プラスティシンは、珪藻土２９．９％、粘土６．０％、脂肪酸メチルエステルスルホン酸ナトリウム２６．９％、ステアリン酸３．０％、大豆油２４．０％、茶のクロロフィル０．６％、プロポリス０．６％、水（バランス）である重量パーセントの成分により構成される。
【発明の効果】
【００１９】
本発明のプラスティシンは、一定量の乳化剤を含む。本発明は材料における内部乳化剤の乳化能力を使って「自己乳化」の効果を有し、即ち、プラスティシンにおける洗浄しにくい物質、例えばベースペースト（充填剤、油、水、及び一定的なプロセスを行った中間製品）などを、乳化剤に包まれて親水「顆粒」を形成し、水に接触させて、水中に溶解又は分散させるので、容易に洗浄できる。本発明のプラスティシンは他の洗剤を使用せずに、水で直接に残留のプラスティシンを除去することが、容易である。そして、従来の洗浄方法と比べて、本発明は徹底的に洗浄でき、残留量が更に少なく、より効果的で容易である。
【００２０】
また、遊んだ後、汚れたプラスティシンの表面に付着した埃、又は、表面に埃やその他の汚い物が付着したプラスティシンを容易に洗浄することができる。
【００２１】
本発明のプラスティシンは、より強い引っ張り強さ（引張強度）、より良い耐久性を有している。一方、主として、従来のプラスティシンにおけるベース材料は、通常物理的に混合され、即ちベースペーストに単に溶剤を加え、又は油相と水相が系に同時に存在することさえもある。例えば、従来のプラスティシンは、蝋と粘土とからなる。その質感と柔軟さを向上するため、一定比率の水と油を入れることもできる。但し、蝋と粘土は、親水性が比較的低く、完全均一に水相に分散することができない。したがって、処理過程では、不均一混合であり、プラスティシンの使用に曝された水は、これにより、揮発し、それはプラスティシンの長時間の使用後、乾裂及び硬化の現象をもたらす。
水分子を乳化剤に包み、揮発しにくくし、それにより、プラスティシンの耐久性を向上させるために、本発明は「自己乳化」の方式を採用する。そのうえ、乳化剤を通して表面張力を低減させることによって、相溶しない油／水の両相を混合することは容易であり、これは、プラスティシンの様々な成分を均一に分散することを助け、プラスティシンの靱性を改良する。
【００２２】
本発明はプラスティシンの中の化学物質が肌、指の爪、毛髪に付着し、洗浄しにくいなどの問題を効果的に解決するだけではなく、更に耐久性に優れ、靱性が強いなどの特徴を有する。それと同時に、汚されたプラスティシンの表面に付着する汚れを容易に洗浄することができる。
【発明を実施するための形態】
【００２３】
具体的な実施方法
以下の具体例は、本発明を更に詳細に説明することを意図するものであるが、本発明の保護範囲を限定するものではない。
【実施例】
【００２４】
実施例１
洗浄容易なプラスティシンは、下記の重量パーセントの成分により構成される：澱粉３９．１％、タルク粉７．８％、ドデシル硫酸ナトリウム３９．１％、オリーブオイル６．５％、β−カロテン０．５２％、キトサン０．２６％、アップルエッセンス０．２６％、残りは水である。これを十分に撹拌し、プラスティシンを得た。得られたプラスティシンの性能指標を表１に記載する：異なる市販のプラスティシンのサンプルと、本発明のプラスティシンのサンプルとを共に、表１に記載するように、温度を２５℃、湿度は４０％ＲＨに制御した恒温恒湿箱中に置き、耐久性の試験をした。
【表１】
2015223516.tif 000002
表１のデータからわかるように、本発明のプラスティシンは耐久性テストにおいて性能がより優れていることを示す。
【００２５】
本発明の相溶しない油・水の両相は乳化剤によって表面張力を低減し、更に容易に混合することができ、プラスティシンの各成分を均一に分散し、プラスティシンの靱性を向上させることに有利である。
【００２６】
異なる市販のプラスティシンのサンプルと、本発明のプラスティシンのサンプルとを共に、力学的性能テストとを行った。２〜３ｇのサンプルを、長さ（２ｃｍ）×幅（０. ５ｃｍ）×高さ（０．５ｃｍ）の柱状体を作成し、テストクランプで両端部を軽く挟み、万能力学試験機で引っ張り強さと破断伸びテストを行った。その結果を表２に示す：
【表２】
2015223516.tif 000003
表２のデータによると、本発明のプラスティシンは、引っ張り強さと破断伸びのテストにおいて、より良い性能が比較的に優れる。本発明は「自己乳化」の方式を採用し、水分子は乳化剤に包まれ、喪失しにくく、プラスティシンの耐久性を向上する；本発明の方法で製作するプラスティシンの引っ張り強さは比較的に高く、耐久性がより良い。
【００２７】
本発明のプラスティシンは他の洗剤を使用しなくてすみ、水で直接に残留のプラスティシンを洗浄除去することができ、更に従来の洗浄方法と比べて、本発明は徹底的に洗浄でき、残留量が更に少なく、より迅速で、便利であると同時に、身体の異なる部位にある他の汚い物の洗浄に用いることができ、子供が遊びながら洗浄する目的に達し、洗浄過程の楽しみを増す；また、表面に埃などの汚れが付着するプラスティシンについて、その表面に付着する汚れは容易に洗浄することができる。
【００２８】
実施例２
洗浄容易なプラスティシンは、以下の重量パーセントの成分により構成される：粘土２９．９％、硫酸ナトリウム１５％、脂肪酸メチルエステルスルホン酸ナトリウム２６．９％、オリーブオイル１８％、ウグイスカグラ赤色色素０．６％、レモンエッセンス０．６％、他の部分は水である。これらを充分に撹拌し、プラスティシンを得た。得られたプラスティシンの性能指標は表３に示す。
【表３】
2015223516.tif 000004
表３のデータに見られるように、本発明のプラスティシンは耐久性、引っ張り強さ及び破断伸びのテストにおいて性能がより優れている。
【００２９】
実施例３
洗浄容易なプラスティシンであり、前記プラスティシンは下記の重量パーセントの成分により構成される：珪藻土２９．９％、粘土６．０％、脂肪酸メチルエステルスルホン酸ナトリウム２６．９％、ステアリン酸３．０％、大豆油２４．０％、茶のクロロフィル０．６％、プロポリス０．６％、他の部分は水である。これらを充分に撹拌し、プラスティシンを得た。得たプラスティシンの性能指標は表４に示す：
【表４】
2015223516.tif 000005
表４のデータによると、本発明のプラスティシンは耐久性、引っ張り強さ及び破断伸びのテストにおいて性能がより優れている。
【００３０】
実施例４
洗浄容易なプラスティシンは下記の重量パーセントの成分により構成される：珪藻土２７．６％、澱粉１５％、塩化ナトリウム５．９％、脂肪族アルコールポリオキシエチレンエーテル硫酸ナトリウム３２．３％、ホホバオイル６．２％、グレープシードオイル５．８％、カカオ色素０．６％、桃エッセンス０．４％、茶ポリフェノール０．４％、他の部分は水である。これらを充分に撹拌し、プラスティシンを得た。得たプラスティシンの性能指標は表５に示す：
【表５】
2015223516.tif 000006
表５のデータによると、本発明のプラスティシンは耐久性、引っ張り強さ及び破断伸びのテストにおいて性能がより優れている。
【００３１】
実施例５
洗浄容易なプラスティシンであり、前記プラスティシンは下記の重量パーセントの成分により構成される：珪藻土３１．８％、ドデシルベンゼンスルホン酸ナトリウム２３．６％、ラウリン酸ジエタノールアミド１０．３％、アボカドオイル１６．２％、カカオバター１０．８％、ベニバラ黄色素１．３％、他の部分は水である。得られたプラスティシンの性能指標を表６に示す：
【表６】
2015223516.tif 000007
表６のデータによると、本発明のプラスティシンは耐久性、引っ張り強さ及び破断伸びのテストにおいて性能が比較的に優れる。
【００３２】
実施例６
洗浄容易なプラスティシンは、下記の重量パーセントの成分により構成される：澱粉４４．５％、グリセロールモノステアラート３２．８％、ローズヒップオイル２５．１％、ラック赤色色素０．８％、パイナップルエッセンス０．３％、他の部分は水である。得られるプラスティシンの性能指標を表7に示す：
【表７】
2015223516.tif 000008
表７のデータによると、本発明のプラスティシンは耐久性、破断伸びのテストにおいて性能がより優れる。更にその引っ張り強さも悪くなかった。
【００３３】
実施例７
洗浄容易なプラスティシンは、下記の重量パーセントの成分により構成される：珪藻土３８．７％、澱粉２２．３％、炭酸カルシウム１２．５％、ステアリン酸ポリオキシエチレン１２．８％、ナッツオイル５．７％、β−茶のクロロフィル０．３％、他の部分は水である。得られたプラスティシンの性能指標を表８に示す：
【表８】
2015223516.tif 000009
表８のデータからわかるように、本発明のプラスティシンは耐久性、破断伸びのテストにおいて性能がより優れている。
【００３４】
実施例８
洗浄容易なプラスティシンであり、前記プラスティシンは下記の重量パーセントの成分により構成される：澱粉１９．８％、グリセロールモノステアリン酸５８．７％、シェーバター８．３％、グリセリン５．９％、β−カロテン１．３％、キトサン０．６％、他の部分は水である。得られたプラスティシンの性能指標を表９に示す：
【表９】
2015223516.tif 000010
表９のデータによると、本発明のプラスティシンは耐久性、破断伸びのテストにおいて性能がより優れている。更にその引っ張り強さも悪くないものである。
【００３５】
実施例９
洗浄容易なプラスティシンであり、前記プラスティシンは下記の重量パーセントの成分により構成される：粘土２５．３％、タルク粉１９．６％、ステアリン酸ナトリウム２３．７％、ドデシルスルホン酸ナトリウム５．７％、ホホバオイル１８．８％、ベニバナ黄色素０．４％、他の部分は水である。得られたプラスティシンの性能指標は表１０に示す：
【表１０】
2015223516.tif 000011
本発明のプラスティシンは、一定量の乳化剤を含み、本発明は材料の内部の乳化剤の乳化力によって、「自己乳化」の効果を奏し、プラスティシンの中の化学物質が肌、指の爪、毛髪に付着し、洗浄しにくいなどの問題を効果的に解決するだけではなく、耐久性にも優れ、靱性が強いなどの特徴を有する。それと同時に、汚されたプラスティシンの表面に付着する汚れを洗浄するのが容易である。その上、また身体の異なる部位にある他の汚れを洗浄することにも使用され、遊びながらそれと同時に洗浄する目的に達し、特に子供のために洗浄過程において楽しみを追加するものである。